(57)【要約】【課題】  着生プレートに着生したアワビ等の磯根資源を簡単に採取することができると共に、設置場所に応じた所望の形状に形成することができる人工礁を提供すること。【解決手段】  アワビやサザエを含む磯根資源を着生させることができ、その着生後に成長した磯根資源を採取することができる人工礁８であって、溝部を有する側壁部１０と、その溝部に対して両側の各縁部が着脱自在に保持され磯根資源が着生する着生プレート９とを備える。海底に設置したこの人工礁８の着生プレート９の表面に、放流されたアワビやサザエを含む磯根資源を着生させることができ、その着生後に成長したアワビ等の磯根資源を採取することができる。この成長した磯根資源を着生プレート９から採取するときは、着生プレート９を側壁部１０から簡単に取り外すことができる。【選択図】      図１
2007151512.tif 000002
【特許請求の範囲】
【請求項１】
アワビやサザエを含む磯根資源を着生させることができ、その着生後に成長した前記磯根資源を採取することができる人工礁であって、
基体と、その基体に対して凹部と凸部との係合によって着脱自在に取り付けられ前記磯根資源が着生する着生プレートとを備えることを特徴とする人工礁。
【請求項２】
複数の前記着生プレートは、略水平又は傾斜した状態で上下方向に多段に配置され、それぞれの前記着生プレートの両側の各縁部が、前記基体に複数設けられている溝部によって保持されることを特徴とする請求項１記載の人工礁。
【請求項３】
前記基体に取り付けられている複数の前記着生プレートを前記基体に係止するための係止装置が設けられ、前記係止装置は、前記各着生プレート及び前記基体に設けられているそれぞれの係止孔と、前記それぞれの係止孔に挿通して前記各着生プレートを前記基体に係止するための棒状の係止部材とを備えていることを特徴とする請求項１又は２記載の人工礁。
【請求項４】
前記基体は、底盤と、この底盤と間隔を隔てて配置され平面形状が略十字形状の屋根部と、この屋根部の十字の各方向に突出する４つの各突出部を支持するように前記底盤に設けられ、対応する前記突出部の突出方向と平行する側壁部とを有し、前記各突出部ごとに設けられた前記側壁部は、互いに間隔を隔てて対向して設けられ、この互いに対向する側壁部の間に前記着床プレートが設けられていることを特徴とする請求項１乃至３のいずれかに記載の人工礁。
【請求項５】
前記屋根部に開口部を設け、前記屋根部をセラミックス製の多孔質部材で形成すると共に、前記側壁部の外面又は前記底盤の上面にセラミックス製の多孔質部材を取り付けたことを特徴とする請求項４記載の人工礁。
【請求項６】
網状体で形成された餌料生物増殖構成体、又は多数の石を前記基体の底盤に設けたことを特徴とする請求項１乃至５のいずれかに記載の人工礁。
【請求項７】
瓦ユニットを備え、この瓦ユニットは、複数枚の瓦を略水平にして、表裏の向きを交互に変えて上下方向に多段に配置して枠体内に設けた構成であって、前記基体の底盤に取り外し可能に設けられ、前記底盤から取り外した前記瓦ユニットを、前記基体の屋根部に設けた開口部に通して引上げ可能であることを特徴とする請求項１乃至６のいずれかに記載の人工礁。
【請求項８】
前記基体は、屋根部を有し、前記屋根部の上面が、外周に向かうに従って下降する傾斜面として形成されていることを特徴とする請求項１乃至７のいずれかに記載の人工礁。
【発明の詳細な説明】
【技術分野】
【０００１】
本発明は、例えば海底に設置して使用することができ、放流したアワビやサザエを含む磯根資源を着生させて、その着生後に成長した磯根資源を採取することができる人工礁に関する。
【背景技術】
【０００２】
従来の人工礁の一例として、図９に示すものがある（例えば、特許文献１参照。）。同図に示す人工礁１は、複数の薄板２が上下方向に互いに隙間５を隔てて配置されているものである。これらの薄板２は、スペーサ３によって互いの間隔が規定されており、連結棒４によって一体に締結されている。
【０００３】
この人工礁１によると、薄板２間の隙間５を魚の産卵場所として提供することができる。そして、薄板２どうしのそれぞれの隙間５は、上下の各薄板２によって覆われて外部から見え難くなっているので、魚の産卵及び育成に適している。
【特許文献１】特開２００３−２１９７５５号公報
【発明の開示】
【発明が解決しようとする課題】
【０００４】
しかし、図９に示す従来の人工礁１では、例えばこの人工礁１に対してアワビやサザエを含む磯根資源（図示せず）を放流して、各薄板２の表面にアワビ等の磯根資源を着生させて、その着生後に成長した磯根資源を採取するという使用を考えた場合、各薄板２に着生して成長したアワビ等を採取するときは、薄板２どうしの隙間５に手を入れて作業を行う必要があり、手間が掛かるという問題がある。
【０００５】
そこで、それぞれの隙間５に手を入れ易くするために、隙間５を大きくすると、その分だけ人工礁１全体の嵩が大きくなって設置等の費用が嵩む。また、各薄板２の奥行きの寸法を短くして、薄板２の奥に手が届き易くすることも考えられるが、薄板２の面積を所定の大きさにしようとすると、各薄板２の横幅の寸法を長くする必要がある。このように、各薄板２の形状に制約があると、この人工礁１を所望の設置場所に設置できないことがある。
【０００６】
そして、図９に示す各ナット６を連結棒４から外して、複数のそれぞれの薄板２をばらばらにすれば、各薄板２の表面に着生するアワビ等を採取し易いが、アワビ等を採取するたびに、人工礁１を分解したり組み立てることは、その分の手間と時間が掛かるという問題がある。
【０００７】
本発明は、上記のような課題を解決するためになされたものであり、着生プレートに着生したアワビ等の磯根資源を簡単に採取することができると共に、設置場所に応じた所望の形状に形成することができる人工礁を提供することを目的としている。
【課題を解決するための手段】
【０００８】
本発明に係る人工礁は、アワビやサザエを含む磯根資源を着生させることができ、その着生後に成長した前記磯根資源を採取することができる人工礁であって、基体と、その基体に対して凹部と凸部との係合によって着脱自在に取り付けられ前記磯根資源が着生する着生プレートとを備えることを特徴とするものである。
【０００９】
この発明に係る人工礁によると、海底に設置したこの人工礁の着生プレートの表面に、例えば放流したアワビやサザエを含む磯根資源を着生させることができ、その着生後に成長したアワビ等の磯根資源を採取することができる。そして、成長したアワビ等の磯根資源を着生プレートから採取するときは、着生プレートを、凹部と凸部との係合が外れる方向に移動させて基体から取り外せばよい。これによって、この取り外した着生プレートから磯根資源を簡単に採取することができる。また、着生プレートを、凹部と凸部とが係合する方向に移動させることによって、基体に簡単に取り付けることもできる。
【００１０】
そして、この発明に係る人工礁において、複数の前記着生プレートは、略水平又は傾斜した状態で上下方向に多段に配置され、それぞれの前記着生プレートの両側の各縁部が、前記基体に複数設けられている溝部によって保持されるようにするとよい。このようにすると、着生プレートの両縁部を、基体に設けられている溝部に対して係合させたり取り外すことによって、着生プレートを基体に対して、簡単に取り付けたり取り外すことができる。そして、着生プレートを上下方向に多段に配置した構成としたので、この人工礁の設置面積を小さくすることができるし、作業者が磯根資源を放流して各着生プレートに着生させたり、磯根資源を各着生プレートから採取する際に、作業のための移動距離を短くすることができる。また、着生プレートを略水平に配置すると、磯根資源が着生プレートに着生し易くすることができるし、着生プレートを傾斜させて配置することによって、着生プレート上に土砂等が溜まり難くすることができる。
【００１１】
また、この発明に係る人工礁において、前記基体に取り付けられている複数の前記着生プレートを前記基体に係止するための係止装置が設けられ、前記係止装置は、前記各着生プレート及び前記基体に設けられているそれぞれの係止孔と、前記それぞれの係止孔に挿通して前記各着生プレートを前記基体に係止するための棒状の係止部材とを備えるようにするとよい。このようにすると、基体に取り付けられた複数の着生プレートを基体に対して係止するときは、係止部材を、各着生プレート及び基体に設けられているそれぞれの係止孔に挿通すればよい。各着生プレートを基体に係止することによって、例えば各着生プレートが潮流等によって基体から外れないようにすることができる。そして、係止を解除するときは、係止部材を、各着生プレート及び基体に設けられている各係止孔から引き抜けばよい。この係止解除状態で、各着生プレートを基体に対して簡単に着脱することができる。
【００１２】
更に、この発明に係る人工礁において、前記基体は、底盤と、この底盤と間隔を隔てて配置され平面形状が略十字形状の屋根部と、この屋根部の十字の各方向に突出する４つの各突出部を支持するように前記底盤に設けられ、対応する前記突出部の突出方向と平行する側壁部とを有し、前記各突出部ごとに設けられた前記側壁部は、互いに間隔を隔てて対向して設けられ、この互いに対向する側壁部の間に前記着床プレートを設けるとよい。このように構成すると、十字形状の屋根部の突出部どうしの間に隅角部が形成され、この隅角部に設けられている側壁部は、平面方向から見て略Ｌ字状に配置される。この略Ｌ字状に配置される側壁部には、潮流が衝突して渦が発生し易いので、このＬ字状部分には、海藻の胞子や流れ藻が滞留して着生し易く、よって、このＬ字状部分に海藻等を増殖させることができる。この増殖した海藻等は、アワビ等の磯根資源の餌となる。そして、略十字形状の屋根部の突出部の下方に配置されている着生プレートどうしの隙間から潮流を流入させることができ、この流入した潮流を他の突出部の下方に配置されている着生プレートどうしの隙間から流出させることができる。これによって、新鮮な潮流をアワビ等の磯根資源に行き渡らせることができる。
【００１３】
そして、この発明に係る人工礁において、前記屋根部に開口部を設け、前記屋根部をセラミックス製の多孔質部材で形成すると共に、前記側壁部の外面又は前記底盤の上面にセラミックス製の多孔質部材を取り付けるとよい。このように、屋根部に開口部を設けると、各着生プレートどうしの隙間から流入する潮流をこの開口部からも流出させることができ、これによって、新鮮な潮流をアワビ等の磯根資源に十分に行き渡らせることができる。そして、屋根部をセラミックス製の多孔質部材で形成すると共に、側壁部の外面又は底盤の上面にセラミックス製の多孔質部材を取り付けると、この多孔質部材に海藻の胞子や流れ藻が着生し易く増殖させることができる。
【００１４】
また、この発明に係る人工礁において、網状体で形成された餌料生物増殖構成体、又は多数の石を前記基体の底盤に設けるとよい。この餌料生物増殖構成体によると、網状体の多数の微細な空間が餌料生物の繁殖の住処となり、餌料生物を増殖させることができる。そして、多数の石によると、石どうしの間に形成される多数の複雑な形状の隙間が餌料生物や魚類の住処となり、餌料生物や魚類を繁殖させることができる。この増殖した餌料生物は、磯根資源の餌となる。
【００１５】
更に、この発明に係る人工礁において、瓦ユニットを備え、この瓦ユニットは、複数枚の瓦を略水平にして、表裏の向きを交互に変えて上下方向に多段に配置して枠体内に設けた構成であって、前記基体の底盤に取り外し可能に設けられ、前記底盤から取り外した前記瓦ユニットを、前記基体の屋根部に設けた開口部に通して引上げ可能にするとよい。この瓦ユニットによると、表面が粗面である瓦を略水平に配置しているので、瓦の表面に磯根資源が安定して着生することができる。また、瓦を交互に表裏の向きを変えて多段に配置することによって、瓦どうしの間の空間を磯根資源の育成に適した大きに形成することができる。そして、瓦ユニットを基体の屋根部に設けた開口部に通して引上げることができるので、例えば瓦ユニットを地上に引き上げて、それぞれの瓦に着生して成長したアワビ等の磯根資源を簡単に採取することができる。
【００１６】
そして、この発明に係る人工礁において、前記基体は、屋根部を有し、前記屋根部の上面が、外周に向かうに従って下降する傾斜面として形成するとよい。このように、屋根部の上面が外周に向かうに従って下降する傾斜面とすることによって、魚網が引っ掛かり難くすることができる。
【発明の効果】
【００１７】
この発明に係る人工礁によると、着生プレートを基体に対して凹部と凸部との係合によって着脱自在に取り付ける構成であるので、着生プレートを基体から簡単に取り外して着生プレートから磯根資源を簡単に採取することができる。また、このように、着生プレートから磯根資源を簡単に採取することができるので、作業者が着生プレートから磯根資源を手で採取し易くするために、着生プレート及び人工礁全体の形状を制限する必要がないし、人工礁を設置場所に応じた所望の形状にすることができる。
【発明を実施するための最良の形態】
【００１８】
以下、本発明に係る人工礁の一実施形態を図１〜図６を参照して説明する。図１に示すこの人工礁８は、海底に設置することができるものであり、例えばアワビ、サザエ、ウニ、ナマコ、イセエビ等の磯根資源をこの人工礁８に対して放流して着生させることができ、その着生後に成長したアワビ等の磯根資源を採取することができるものであり、磯根資源が着生することができる多数の着生プレート９、・・・と、この着生プレート９、・・・が取り付けられる側壁部１０、・・・と、この側壁部１０、・・・が設けられている底盤１１と、側壁部１０に支持されている屋根部１２とを備えている。
【００１９】
底盤１１は、図１及び図２に示すように、平面形状が略正方形の板状体である。この底盤１１の上面に、多数の側壁部１０がこの底盤１１と一体に設けられており、この多数の側壁部１０上に屋根部１２が取り付けられている。また、底盤１１の上面の四隅には、吊下げ部１３を設けてあり、この吊下げ部１３を使用して人工礁８を吊下げて設置できるようになっている。
【００２０】
屋根部１２は、図１及び図３に示すように、合計４つの傾斜板（突出部）１４によって形成され、この４つの傾斜板１４は、平面方向から見て略十字形状となるように配置されている。つまり、これら４つの傾斜板１４は、屋根部１２の中心から４方向に外側に向かって突出するように配置され、外側に向かうに従って下降する方向に傾斜している。そして、この略十字形状に形成された屋根部１２の中央部には、矩形の開口部１２ａが形成されている。
【００２１】
側壁部１０は、図１及び図２に示すように、４つの各傾斜板１４に対して４つずつ設けられており、対応する傾斜板１４を支持している。各側壁部１０は、互いに所定の間隔を隔てて対向して配置され、対応する傾斜板１４が屋根部１２の中心から水平方向に突出するその方向と平行している。そして、これら互いに対向して配置されている側壁部１０の間に複数の着生プレート９、・・・が着脱自在に設けられている。これら底盤１１、屋根部１２及び側壁部１０が基体である。
【００２２】
着生プレート９は、図４に示すように、略水平な状態で上下方向に多段に配置することができるように形成されており、それぞれの着生プレート９の両側の各縁部９ａ、９ａが、側壁部１０に複数設けられている溝部１０ａによって保持されるようにしてある。これらの着生プレート９は、同一の形状であり、図５（ｂ）に示すように、奥行き方向に長い矩形の板状体である。着生プレート９の横幅は、着生プレート９が取り付けられる２つの側壁部１０、１０の壁面に設けられている溝部１０ａ、１０ａに装着することができる寸法に形成されている。
【００２３】
各溝部１０ａは、図５（ａ）に示すように、側壁部１０の壁面に多数設けてあり、上下方向の間隔は、例えば５０ｍｍである。このように、溝部１０ａを多数設けてあるので、図４に示すように、着生プレート９に着生するアワビ等の磯根資源の大きさに応じて、適当な溝部１０ａに着生プレート９を装着して使用することができる。
【００２４】
また、図４に示すように、側壁部１０と１０との間に装着された着生プレート９、・・・を、側壁部１０、１０に係止するための係止装置１５が設けられている。この係止装置１５は、側壁部１０と１０との間に上下方向に例えば多段に装着された着生プレート９を一括して側壁部１０に係止することができるものであって、傾斜板１４、各着生プレート９及び底盤１１に設けられているそれぞれの係止孔１６、１７、１８と、それぞれの係止孔１６、１７、１８に挿通して、各着生プレート９を側壁部１０に係止するための棒状の係止部材１９とを備えている。
【００２５】
各着生プレート９に設けられている各係止孔１７は、図４に示すように、例えば手を掛けることができる大きさの長孔（貫通孔）であり、着生プレート９の前縁部の略中央位置に１つ形成されている。このように係止孔１７を長孔としたのは、作業者が側壁部１０に装着されている着生プレート９を引き出したり側壁部１０に装着するときに、この係止孔１７に手を掛けることができ、容易に出し入れできるようにするためである。
【００２６】
各傾斜板１４及び底盤１１に設けられている各係止孔１６、１８は、図４に示すように、例えば円孔（貫通孔）である。これらの各係止孔１６、１８は、係止部材１９を挿通することができる大きさである。
【００２７】
係止部材１９は、図４に示すように、所定長さの棒状部１９ａを備え、上端に環状の把手１９ｂが設けられている。この棒状部１９ａは、傾斜板１４、複数の着生プレート９及び底盤１１に形成されたそれぞれの係止孔１６、１７、１８に挿通することができる太さ及び長さであり、この挿通した状態で、上端に設けられている把手１９ｂが傾斜板１４の上面に当接して係止部材１９が保持される。このように、係止部材１９を各係止孔１６、１７、１８に挿入することによって、各着生プレート９、・・・を対応する各側壁部１０に係止することができ、これによって、例えば各着生プレート９が潮流２７等によって側壁部１０から外れないようにすることができる。
【００２８】
図６は、屋根部１２を構成する傾斜板１４を、例えばアンカーボルト２０によって側壁部１０の上端部に固定して取り付けている構造を示している。これらの傾斜板１４は、例えばセラミックス製の多孔質部材で形成されている。また、図１、図２及び図６に示すように、側壁部１０の外面、及び矩形底盤１１の上面の４つの各角部にセラミックス製の多孔質部材２１をアンカーボルト２０によって固定して取り付けてある。このセラミックス製の多孔質部材１４、２１は、例えば破砕瓦をセメントペーストによって結合したものであり、空隙率は例えば約２５％であり、空隙は連通している。
【００２９】
この多孔質部材２１に形成されている入り組んだ形状の隙間は、微生物や原始動物、多毛類や甲殻類の幼生等の住処に適しており、更に、海藻の胞子や流れ藻等の海藻類が着生するものとして優れている。そして、これら微生物や海藻類は、それぞれの着生プレート９に着生するアワビ等の磯根資源の餌となり、磯根資源の育成及び増殖に使用される。
【００３０】
そして、図２に示すように、底盤１１の中央部には、石収容籠２２を設けてある。この石収容籠２２内には、多数の石（例えば栗石）２３、・・・が配置されている。この栗石２３の重量は、人工礁８を海底に安定して設置するためにも機能している。そして、多数の栗石２３どうしの間には、多数の複雑な形状の隙間が形成されるので、それぞれの隙間が餌料生物や魚類の住処となり、餌料生物や魚類の繁殖を促進することができる。
【００３１】
なお、着生プレート９は、例えばプラスチックや防錆処理を施した軽量金属製であり、係止部材１９は、例えばステンレス製である。側壁部１０及び底盤１１は、例えばコンクリートで一体に形成されている。底盤１１の一辺の長さは、例えば約３．５ｍである。
【００３２】
上記のように構成された図１等に示す人工礁８は、例えば海底に設置することができる。そして、この人工礁８に対して、例えばアワビやサザエを含む磯根資源（図示せず）を放流することによって、これら磯根資源を多数の着生プレート９の上下の各表面に着生させることができる。そして、その着生したアワビ等の磯根資源が成長した後に、これら磯根資源を採取することができる。
【００３３】
つまり、この成長したアワビ等の磯根資源を着生プレート９から採取するときは、図４に示す係止部材１９を引き上げてそれぞれの係止孔１６、１７、１８から引き抜けばよい。これによって、各着生プレート９の側壁部１０に対する係止を解除することができ、それぞれの着生プレート９を側壁部１０の溝部１０ａから簡単に引き抜いて取り外すことができる。よって、この取り外した着生プレート９から磯根資源を簡単に採取することができる。
【００３４】
そして、磯根資源を採取した後に、図４に示すように、それぞれの着生プレート９を側壁部１０に設けられているそれぞれの溝部１０ａに挿入して装着する。そして、係止部材１９を各係止孔１６、１７、１８に挿入することによって、各着生プレート９が側壁部１０から外れないように簡単に係止することができる。
【００３５】
このように、この係止装置１５を使用することによって、各着生プレート９を側壁部１０に対して簡単に係止することができるし、係止を簡単に解除することができる。そして、係止を解除すると、各着生プレート９を側壁部１０に対して、簡単に取り付けることができるし、取り外すこともでき、そして、各着生プレート９を取り外すことによって、各着生プレート９から磯根資源を簡単に採取することができる。また、このように、着生プレート９から磯根資源を簡単に採取することができるので、作業者がそれぞれの着生プレート９から磯根資源を手で採取し易くするために、着生プレート９及び人工礁８全体の形状を制限する必要がないし、人工礁８を設置場所に応じた所望の形状にすることができる。
【００３６】
そして、図４に示すように、着生プレート９を上下方向に多段に配置することができる構成としたので、この人工礁８の設置面積を小さくすることができるし、作業者が磯根資源を放流して磯根資源を各着生プレート９に着生させたり、磯根資源を各着生プレート９から採取する際に、作業のための移動距離を短くすることができる。また、着生プレート９が略水平に装着されているので、磯根資源が着生プレート９に着生し易い。
【００３７】
ただし、図には示さないが、各溝部１０ａを傾斜させて形成して、各着生プレート９を傾斜させて配置するようにしてもよい。このようにすると、各着生プレート９上に土砂等が溜まり難くすることができ、土砂等が邪魔にならずに磯根資源を簡単に採取することができる。
【００３８】
更に、図４に示すように、側壁部１０に設けられている多数の溝部１０ａは、高さ方向に多段に設けてあるので、上下の着生プレート９どうしの間隔が、磯根資源の大きさに応じて形成されるように、着生プレート９を所望の溝部１０ａに装着することができる。
【００３９】
そして、図１に示すように、平面形状が十字形状の屋根部１２の傾斜板１４どうしの間には、隅角部２４が形成され、それぞれの隅角部２４に設けられている側壁部１０、１０は、平面方向から見てＬ字状に配置されている（図２参照）。このＬ字状の側壁部１０、１０には、潮流２７が衝突して渦２５が発生し易いので、このＬ字状部分には、海藻の胞子や流れ藻等が滞留して着生し易く、よって、このＬ字状部分に海藻等を増殖させることができる。この増殖した海藻等は、アワビ等の磯根資源の餌となる。そして、屋根部１２を形成する傾斜板１４の下方に配置されている着生プレート９どうしの隙間２６から潮流２７を流入させることができ、この流入した潮流２７を他の傾斜板１４の下方に配置されている着生プレート９どうしの隙間２６から流出させることができる。これによって、新鮮な潮流２７をアワビ等の磯根資源に行き渡らせることができる。これによって、磯根資源を効率よく成長させることができる。
【００４０】
また、図１に示すように、屋根部１２の中央部に開口部１２ａを設けた構成としたので、各着生プレート９どうしの隙間２６から流入する潮流２７をこの開口部１２ａからも流出させることができ、これによって、新鮮な潮流２７をアワビ等の磯根資源に十分に行き渡らせることができる。そして、このように潮流２７が人工礁８内を適度に通過することができるし、側壁部１０のＬ字状部分に渦２５が発生し易いので、多孔質部材で形成された屋根部１２や、側壁部１０の外面及び底盤１１の上面に取り付けた多孔質部材２１に海藻の胞子や流れ藻等が着生し易く増殖させることができる。これらの海藻等は、餌料生物や磯根資源の餌となり、磯根資源を効率よく成長増殖させることができる。
【００４１】
更に、図１に示すように、この人工礁８によると、屋根部１２の平面形状を略十字形状とし、屋根部１２を構成する各傾斜板１４が外側に向かうに従って下降する方向に傾斜し、各傾斜板１４の水平方向の外縁部が、側壁部１０の鉛直方向の外縁部と接合して連なる構成としたので、この人工礁８に魚網が引っ掛かり難くすることができる。
【００４２】
ただし、上記実施形態では、図２に示すように、底盤１１の中央部に多数の栗石２３を配置したが、これに代えて、図７（ａ）に示すような餌料生物増殖構成体２８を設置してもよい。この餌料生物増殖構成体２８は、略立方体に形成された外側枠体２９を有し、この外側枠体２９内に多数の増殖構成体ユニット３０、・・・が収容されている。それぞれの増殖構成体ユニット３０は、図７（ｂ）に示すように、略立方体に形成された内側枠体３１を有し、この内側枠体３１の６つの各面に網部材３２が張られている。そして、この網部材３２で形成された略立方体の内側空間に、例えば魚網等の網状体（図示せず）が折畳んで収容されている。この網状体の多数の微細な空間は、餌料生物の繁殖の住処となり、餌料生物を増殖させることができる。この増殖した餌料生物は、磯根資源の餌となる。
【００４３】
また、図７（ａ）に示す餌料生物増殖構成体２８では、外側枠体２９内に図７（ｂ）に示す増殖構成体ユニット３０を多数配置した構成としたが、この増殖構成体ユニット３０に代えて、図８に示す瓦ユニット３３を外側枠体２９内に多数配置した構成（磯根資源増殖構成体（図示せず））としてもよい。それぞれの瓦ユニット３３は、図８に示すように、複数枚の瓦３５を略水平にして、表裏の向きを交互に変えて上下方向に多段に配置して、内側枠体３１内に配置した構成である。この瓦ユニット３３によると、表面が粗面である瓦３５を略水平に配置しているので、瓦３５の上表面に磯根資源が安定して着生することができる。また、瓦３５を交互に表裏の向きを変えて多段に配置することによって、瓦３５どうしの間の空間を磯根資源３６、・・・の育成に適した大きに形成することができる。
【００４４】
そして、図７（ａ）に示すように、外側枠体２９の上面には、４つの吊下げ部３７、・・・が溶接されている。この吊下げ部３７を使用して餌料生物増殖構成体２８又は磯根資源増殖構成体を吊下げて、屋根部１２に形成されている開口部１２ａに通して、底盤１１上に取り外し自在に設置することができる。そのために、開口部１２ａは、これら餌料生物増殖構成体２８及び磯根資源増殖構成体よりも大きい寸法に形成されている。
【００４５】
また、磯根資源増殖構成体は、吊り上げて屋根部１２に設けた開口部１２ａに通して引上げることができる。従って、例えば磯根資源増殖構成体を地上に引き上げて、それぞれの瓦３５に着生して成長したアワビ等の磯根資源を簡単に採取することができる。
【００４６】
更に、上記実施形態では、図４に示すように、側壁部１０、１０の側面に設けた溝部１０ａ、１０ａに着生プレート９の縁部９ａ、９ａを挿入することによって、この着生プレート９を側壁部１０、１０に着脱自在に取り付ける構成としたが、これに代えて、図には示さないが、例えば側壁部１０の側面に、上側突起及び下側突起を上下方向に間隔を隔てて複数組み設け、この上側突起と下側突起との間に着生プレート９の両側の各縁部９ａ、９ａを挿入して取り付ける構成としてもよい。
【００４７】
そして、上記実施形態では、図４に示すように、着生プレート９に設けた係止孔１７に手を掛けて、この着生プレート９を引き出したり押込むことができる構成としたが、例えば着生プレート９の上面の手前側の縁部に把手を設け、この把手を掴んでこの着生プレート９を引き出したり押込むことができる構成としてもよい。
【００４８】
また、上記実施形態では、図１に示すように、屋根部１２の平面形状を十字形状としたが、これ以外の形状の例えば平面方向から見て３方向又は５方向に向かって延びる形状としてもよいし、四角形等の多角形としてもよい。そして、この多角形の屋根部の下方に着生プレート９を設ける。
【００４９】
更に、上記実施形態において、多数の栗石２３、上記磯根資源増殖構成体、及び餌料生物増殖構成体２８のうちの２つ、又は３つを底盤１１に設けてもよい。
【産業上の利用可能性】
【００５０】
以上のように、本発明に係る人工礁は、着生プレートに着生したアワビ等の磯根資源を簡単に採取することができると共に、設置場所に応じた所望の形状に形成することができる優れた効果を有し、このような人工礁等に適用するのに適している。
【図面の簡単な説明】
【００５１】
【図１】この発明の一実施形態に係る人工礁を示す斜視図である。
【図２】同実施形態に係る人工礁のＡ−Ａ断面図である。
【図３】同実施形態に係る人工礁の正面図である。
【図４】同実施形態に係る人工礁の着生プレートが係止装置で係止されている状態を示す部分拡大斜視図である。
【図５】（ａ）は同実施形態に係る人工礁から着生プレートを取り外した状態を示す部分拡大斜視図、（ｂ）は同実施形態の着生プレートを示す拡大斜視図である。
【図６】同実施形態に係る人工礁の屋根部と側壁部との結合構造を示す拡大縦断面図である。
【図７】（ａ）は同発明の他の実施形態に設けられる餌料生物増殖構成体を示す拡大斜視図、（ｂ）は同餌料生物増殖構成体が備える増殖構成体ユニットを示す拡大斜視図である。
【図８】同発明の更に他の実施形態に設けられる瓦ユニットを示す拡大斜視図である。
【図９】従来の人工礁を示す斜視図である。
【符号の説明】
【００５２】
８  人工礁
９  着生プレート
９ａ  着生プレートの縁部
１０  側壁部
１０ａ  溝部
１１  底盤
１２  屋根部
１２ａ  開口部
１３、３７  吊下げ部
１４  傾斜板（屋根部）
１５  係止装置
１６、１７、１８  係止孔
１９  係止部材
２０  アンカーボルト
２１  多孔質部材
２２  石収容籠
２３  栗石
２４  隅角部
２５  渦
２６  隙間（着生プレート）
２７  潮流
２８  餌料生物増殖構成体
２９  外側枠体
３０  増殖構成体ユニット
３１  内側枠体
３２  網部材
３３  瓦ユニット
３５  瓦
３６  磯根資源
【図１】
2007151512.tif 000003
【図２】
2007151512.tif 000004
【図３】
2007151512.tif 000005
【図４】
2007151512.tif 000006
【図５】
2007151512.tif 000007
【図６】
2007151512.tif 000008
【図７】
2007151512.tif 000009
【図８】
2007151512.tif 000010
【図９】
2007151512.tif 000011